(57)【要約】【課題】胴縁の寸法精度が悪くても安定して外装パネルを保持できる胴縁と留め金具を提供することを目的とする。【解決手段】外装パネル２用の胴縁３と留め金具４は、断面コ字状で、両開口端部７には開口内部に向けてストッパー８が立設される。前記留め金具４は断面コ字状で、前記胴縁３の長手方向の任意の位置に前記留め金具４を嵌着するように、前記留め金具４の両側面１１には係止突起１４が突設して設けられる。この係止突起１４は、前記胴縁３の両側面６を弾性的に押し広げるガイド面１２とストッパー８に係止させる係止面１３とを備えている。前記留め金具４の前記両側面１１は複数のスリット１５により分割されて不撓側面部１６と可撓側面部１７に区分され、この可撓側面部１７は不撓側面部１６よりも断面コ字状の内部側に傾斜するとともにその先端部１８が不撓側面部１６の先端部１９よりも突出して形成され弾性的に撓むことができる。【選択図】  図１
2006152576.tif 000002
【特許請求の範囲】
【請求項１】
建築物の外壁本体に設けられる外装パネル用の胴縁と留め金具の構造であって、
前記胴縁は屋外側に開口を有する底面と２側面とからなる断面コ字状の長尺材で、両開口端部には開口内部に向けてストッパーが立設され、
前記留め金具は底面と２側面とからなる断面コ字状の短尺材で、前記胴縁の長手方向の任意の位置に前記留め金具を嵌着するように、前記留め金具の両側面には、前記胴縁の対向するストッパー間の隙間から前記留め金具を前記胴縁の内部に挿入する際にストッパーを介して前記胴縁の両側面を徐々に弾性的に押し広げるガイド面と、前記留め金具を胴縁内に挿入した際に屋内側からストッパーに係止させる係止面とを備えた係止突起を突設するとともに、
前記留め金具の両側面は複数のスリットにより分割されて不撓側面部と可撓側面部に区分され、この可撓側面部は不撓側面部よりも断面コ字状の内部側に傾斜するとともにその先端部が不撓側面部の先端部よりも突出して形成されることを特徴とする外装パネル用の胴縁と留め金具の構造。
【請求項２】
請求項１に記載の外装パネル用の胴縁と留め金具の構造であって、前記可撓側面部の先端部は留め金具の底面に略平行な接触面を備えることを特徴とする外装パネル用の胴縁と留め金具の構造。
【請求項３】
請求項１又は請求項２に記載の外装パネル用の胴縁と留め金具の構造であって、前記胴縁の両開口端部の開口内部に向けて立設されるストッパーは、両開口端部に直角に立設されるリップとリップ先端部から底面に向けて突設するフランジとからなることを特徴とする外装パネル用の胴縁と留め金具の構造。
【発明の詳細な説明】
【技術分野】
【０００１】
本発明は、外装パネル用の胴縁と留め金具の構造に関し、特に外装パネルが安定してガタツクことがないように外壁に取付けられる技術に関する。
【背景技術】
【０００２】
従来、外装パネルを建築物の外壁本体に取付けるための胴縁としては、加工性や取付けが容易で優れているとの理由から主として木材が使用され、外装パネルの胴縁への取付けに関しては多くの場合釘が使用されている。
【０００３】
この場合、釘を外装パネルの外側から打つことになり、釘頭が外装パネルの表面に露出するので外観を損ない商品価値が低下するという問題があった。
【０００４】
また、釘頭が露出しているので錆びが発生しやすいため、外装パネルが不燃性で耐久性を持ち合わせていても建物全体としては耐久性が劣るという問題があった。
【０００５】
さらに、木材の経年変化による劣化が避けられず、木材の反りや腐朽が生じ易いという欠点により、固定釘が浮き上がり外装パネルの脱落が生じるという問題があった。
【０００６】
これらの問題点を解決する方法として特許文献１の記載が知られている。特許文献１によれば、図１０、図１１に示すように、建築物の外壁本体６１に外装パネル６２用の胴縁６３と留め金具６４が設けられ、胴縁６３は屋外側に開口を有する断面構造であり釘６５によって胴縁６３の取付部６６を貫き外壁本体６１に固定される。
【０００７】
留め金具６４の正面部６７の両側には係合部６９が設けられ、係合部６９は胴縁６３の嵌合部６８に挿入収容される。このとき、係合部６９は少し外側に開くように設けられている。
【０００８】
このため、留め金具６４は係合部６９が胴縁６３の嵌合部６８に弾性的に挿入収容されるで、大きな外力が係らなければ胴縁６３に固着した状態を保てるが、留め金具６４を引っ張れば胴縁６３内を嵌合部６８に沿って自由にスライドさせることができる。
【０００９】
ここで、留め金具６４には、支持片７０が係合部６９と反対側に突出して設けられ、支持片７０に上支持片７１と下支持片７２とが備えられ、それぞれ上下の外壁パネル６２を支持できる。
【００１０】
このように、留め金具６４は、胴縁６３の中を上下に自由にスライドすることができるので、留め金具６４を外装パネル６２に合わせて任意位置に取付けできて、耐久性が増し、経年変化による劣化もないので、外装パネルの脱落がなくなる。
【特許文献１】実開平５−３５９４４号公報
【発明の開示】
【発明が解決しようとする課題】
【００１１】
建物外壁を形成するには、一般に実部（雄実、雌実）を上下端に設けた外装パネルが用いられ、最初に下側の外装パネルを留め金具を介して胴縁に取付けた後に、この下側の外装パネル上に上側の外装パネルを実部を合わせて載せ、順次外装パネルを張り合わせるという施工作業がおこなわれる。
【００１２】
ところが、上述の外装パネルの胴縁への取付け構造では、留め金具を胴縁に装着するのに、胴縁の長さ方向の端部から留め金具を挿入しなければならない。
【００１３】
このため、作業者は、それぞれの外装パネルの取付け毎に、外装パネルの配置箇所から離れて胴縁の長さ方向の端部がある高所まで移動して胴縁内に留め金具を挿入しなくてはならないので、作業効率が大変悪くなる。
【００１４】
このため、すでに提案している考えであるが、胴縁の長さ方向の任意の箇所で留め金具を胴縁に簡単に装着できて外装パネルの取付けの作業性が向上する外装パネル用の胴縁と留め金具がある。
【００１５】
その構成は、「屋外側に開口する断面がストッパー付きコ字状の胴縁と屋内側に開口する断面が係止突起付きコ字状の留め金具とで構成され、係止突起は、留め金具を胴縁の内部に挿入していく際にストッパーを徐々に弾性的に押し広げるガイド面と、留め金具を胴縁内に挿入した際にストッパーに屋内側から係止させる係止面を備えている。」という内容である。
【００１６】
この構成であれば、胴縁の屋外側に開口するストッパー間の隙間から留め金具を胴縁の内部に押し込むだけで留め金具を胴縁に装着できるので、留め金具を胴縁の長さ方向の任意位置で装着してから、所定の場所までスライドすることができる。
【００１７】
そのため、外装パネルの作業毎に作業者が胴縁の長さ方向の端部に移動して留め金具を胴縁に挿入する必要がなくなる。
【００１８】
しかしながら、この方法では、胴縁の寸法精度が悪い場合には胴縁と留め金具との間にガタツキが生じるため、外装パネルを安定して保持できないという問題があった。
【００１９】
そこで、本発明は、胴縁の長さ方向の任意位置で装着できる留め金具であるとともに、胴縁の寸法精度が悪くても留め金具がガタツクことなく安定して外装パネルを保持することができる外装パネル用の胴縁と留め金具の構造を提供することを目的とする。
【課題を解決するための手段】
【００２０】
請求項１の発明は、建築物の外壁本体に設けられる外装パネル用の胴縁と留め金具の構造であって、前記胴縁は屋外側に開口を有する底面と２側面とからなる断面コ字状の長尺材で、両開口端部には開口内部に向けてストッパーが立設され、前記留め金具は底面と２側面とからなる断面コ字状の短尺材で、前記胴縁の長手方向の任意の位置に前記留め金具を嵌着するように、前記留め金具の両側部には、前記胴縁の対向するストッパー間の隙間から前記留め金具を前記胴縁の内部に挿入する際にストッパーを介して前記胴縁の両側面を徐々に弾性的に押し広げるガイド面と、前記留め金具を胴縁内に挿入した際に屋内側からストッパーに係止させる係止面とを備えた係止突起を突設するとともに、
前記留め金具の両側面は複数のスリットにより分割されて不撓側面部と可撓側面部に区分され、この可撓側面部は不撓側面部よりも断面コ字状の内部側に傾斜するとともにその先端部が不撓側面部の先端部よりも突出して形成されることを特徴としている。
【００２１】
この外装パネル用の胴縁と留め金具の構造であれば、可撓側面部は不撓側面部よりも断面コ字状の内部側に傾斜するとともにその先端部が不撓側面部よりも突出して形成されるため、前記可撓側面部の先端部が前記胴縁の底面に押し当てられることで可撓側面部が撓むので、前記係止突起を前記ストッパーに弾性的に押し当てることができる。
【００２２】
請求項２の発明は、請求項１に記載の外装パネル用の胴縁と留め金具の構造であって、前記可撓側面部の先端部は留め金具の底面に略平行な接触面を備えることを特徴としている。
【００２３】
この外装パネル用の胴縁と留め金具の構造であれば、前記可撓側面部の先端部は胴縁の底面に対して面接触することができる。
【００２４】
請求項３の発明は、請求項１又は請求項２に記載の外装パネル用の胴縁と留め金具の構造であって、前記胴縁の両開口端部の開口内部に向けて立設されるストッパーは、両開口端部に直角に立設されるリップとリップ先端部から底面に向けて突設するフランジとからなることを特徴としている。
【００２５】
この外装パネル用の胴縁と留め金具の構造であれば、フランジが突設されるので、ストッパーの強度を補強することができる。
【発明の効果】
【００２６】
請求項１記載の発明によれば、可撓側面部が撓んで前記係止突起が前記ストッパーに弾性的に押し当てられる。
【００２７】
そのため、留め金具が胴縁の長さ方向の任意位置で装着できるとともに、胴縁の精度精度が悪くても留め金具がガタツクことなく、安定して外装パネル用を保持することができる。
【００２８】
請求項２記載の発明によれば、前記可撓側面部の先端部は胴縁の底面に対して（線接触ではなく）面接触することができる。
【００２９】
そのため、胴縁に精度誤差が生じても留め金具がガタツクことなく、安定して外装パネル用を保持することができる。
【００３０】
請求項３の発明によれば、フランジが突設されるので、ストッパーの強度を補強することができる。
【００３１】
そのため、留め金具を胴縁に安定して保持することができるとともに、安定して外装パネル用を保持することができる。
【発明を実施するための最良の形態】
【００３２】
＜外装パネル用の胴縁と留め金具の構成＞
以下に、本発明の実施形態を図１〜図５に基づいて説明する。
【００３３】
図１、図２に示すように、本発明の建築物の外壁本体１に設けられる外装パネル２用の胴縁３は屋外側に開口３ａを有する底面５と２側面６とからなる断面コ字状の長尺材で、両開口端部７には開口内部に向けてストッパー８が立設される。
【００３４】
このストッパー８は、両開口端部７に直角に取付られるリップ８ａとしての短辺と、このリップ８ａの先端部から側面６に平行で底面５に向けて設けられるフランジ８ｂとで形成される。
【００３５】
前記留め金具４は底面１０と２側面１１とからなる断面コ字状の短尺材で、前記胴縁３の長手方向の任意の位置で前記留め金具４を嵌着できるように、前記留め金具４の両側面１１には係止突起１４が突設して設けられる。
【００３６】
この係止突起１４は、前記胴縁３の対向するストッパー８間の隙間（開口３ａ）から前記留め金具４を前記胴縁３の内部に挿入する際にストッパー８を介して前記胴縁３の両側面６を徐々に弾性的に押し広げる曲面のガイド面１２と、前記留め金具４を胴縁３内に挿入した際に屋内側からストッパー８に係止させる平面縁の係止面１３とを備えている。
【００３７】
さらに、前記留め金具４の両側面１１は複数のスリット１５により分割されて不撓側面部１６と可撓側面部１７に区分され、この可撓側面部１７は不撓側面部１６よりも断面コ字状の内部側に傾斜するとともにその先端部１８が不撓側面１６部の先端部１９よりも突出して形成される。
【００３８】
これにより、可撓側面部１７の先端部１８が前記胴縁３の底面５に押し当てられることで可撓側面部１７が撓み、その反力により前記係止突起１４を前記ストッパー８に弾性的に押し当てることができる構成になっている。
【００３９】
また、留め金具４の底面１０の外側には外装パネル２を挟み込んで留め金具４に固着するための取付片２１が底面１０に連続して設けられる。
【００４０】
取付片２１は留め金具４の底面１０との間に隙間を保持して形成されるが、取付片２１には座繰部２２が設けられるので、座繰部２２と底面１０との間に外装パネル２を受け入れる隙間Ｓ１が形成される。
【００４１】
ここで、外装パネル２は図示しないが内部に断熱材を備え、外装パネル２の両側から薄肉の金属板層で被覆してなる金属サイディングが用いられる。外装パネル２の上端部２５には凸状の雄実２６が突設され、外装パネル２の裏面側の金属板層は雄実２６を超えて被取付片２７が突設（延設）される。
【００４２】
外装パネル２の下端部２８には凹状の雌実２９が設けられ、隣接する外装パネル２の上端部２５の凸状の雄実２６と実結合することができる。さらに、この外装パネル２の下端部２８の裏面側には、留め金具４の取付片２１を収容するための切欠き３０が形成される。
【００４３】
そして、外装パネル２の被取付片２７は留め金具４の取付片２１に挟み込まれるとともにビス等の固着具３１によって被取付片２７と取付片２１は固着される。
【００４４】
なお、ここで胴縁３の主要寸法を、２側面６間の内距離がＲ１、両フランジ８ｂ間の隙間（開口３ａ）の距離がＲ２、側面６の外側高さがＨ１、フランジ８ｂと底面５間の開口距離がＨ２と表しておく。
【００４５】
＜留め金具４の詳細構造＞
図３、図４に示すように、断面コ字状の留め金具４の底面１０は例えば長さＬ１＝８０ｍｍ、幅Ｍ１＝４０ｍｍに形成され、底面１０の一端部３５から長さＬ１の略中央部３６までの領域内に取付片２１が形成される。取付片２１は底面１０の幅方向の中央部に底面１０を切起して（底面１０の横方向にスリットが隙間Ｍ３＝２ｍｍで形成される）底面１０との間に隙間Ｓ＝１、８ｍｍで形成され略中央部３６において底面１０に連結している。
【００４６】
取付片２１の大きさは、長さＮ２＝２７ｍｍ、幅Ｍ２＝２０ｍｍの矩形状であり、略中央部３６からＮ３＝１５ｍｍの場所にはビス等の固着具３１用の下穴３７（ネジ溝なし）が形成される。さらに、下穴３７を囲む矩形の座繰部２２は深さＳ２＝１ｍｍで凹状リブ構造に形成される。
【００４７】
上述のように、取付片２１は留め金具４の底面１０との間に隙間Ｓ＝１、８ｍｍを保持して形成されるが、より詳しくは、取付片２１には座繰部２２が設けられるので、外装パネル２を受け入れる隙間Ｓ１は座繰部２２の突出深さをＳ２とすると、Ｓ１＝Ｓ−Ｓ２＝０、８ｍｍである。
【００４８】
なお、取付片２１の自由端部３９は長さＳ４＝３ｍｍに亘って高さＳ３＝１、８ｍｍだけ間口が開いて形成される。
【００４９】
同様に、略中央部３６から他端部４０までの領域の中央部には、他の取付け（例えば留め金具４の固定）用の下穴３８が凹状円形の座繰部４１に囲まれて形成される。
【００５０】
留め金具４の２側面１１には係止突起１４がそれぞれ３個合計６個突設され、
その取付け位置は、留め金具４の長手方向の中心位置と、一端部３５と他端部４０からそれぞれ長さＬ３＝１０ｍｍの位置に設けられる。いま各係止突起１４間の距離はＬ２＝３０ｍｍであり、Ｌ２＞＞Ｌ３の関係に配置される。
【００５１】
係止突起１４は「半お椀形状」で、留め金具４が側面１１から突設する高さＱ１＝４ｍｍ、取付幅Ｑ２＝略８ｍｍ、取付け深さＱ３＝略４ｍｍであり、底面１０からの距離Ｑ４＝３、５ｍｍの位置に取付けられる。
【００５２】
留め金具４の２側面１１は、幅Ｐ３＝２ｍｍの４条のスリット１５によって、５分割され、一端部３５から順に、幅Ｐ１＝１８ｍｍの不撓側面部１６と幅Ｐ２＝１０ｍｍの可撓側面部１７が交互に配列される。ここで、スリット１５は底面１０から長さＹ＝８ｍｍの位置まで形成される。
【００５３】
図５に示すように、不撓側面部１６と可撓側面部１７の断面形状はそれぞれ異なる形状である。
【００５４】
不撓側面部１６の断面形状は、側面１１（幅Ｍ１＝４０ｍｍ）の位置で、高さＨ３＝１９ｍｍで先端部１９は先端部１９から高さＨ４＝５ｍｍの位置５０のところから内側に長さＨ５＝１ｍｍだけ折れ曲がって（角度θ=略１０度）形成される。
【００５５】
可撓側面部１７の断面形状は、側面１１（幅Ｍ１＝４０ｍｍ）の位置で、高さＨ５＝２０ｍｍで形成され、不撓側面部１６に比べて長さＹ１＝１ｍｍ（Ｈ５ーＨ３）だけ長い。そして、不撓側面部１６は底面１０から長さＹ＝８ｍｍの位置５１（スリット１５の上端５１と一致する）から内側に長さＨ７の位置５２まで折れ曲がって（角度θ=略１０度）形成される。このとき、位置５２は先端部１８から長さＨ６のところであり、不撓側面部１６における先端部１９から長さＨ４の位置５０と同じレベルである。
【００５６】
さらに、位置５２から先端部１８にかけて長さＨ８折れ曲がって形成され、先端部１８には底面５に略平行な接触片５３（接触面）が長さＨ９=略５ｍｍで形成される。
【００５７】
このように、側面１１から先端部１８まで２度折れ曲がった合計長さは、Ｈ７＋Ｈ８＝２ｍｍに形成される。
【００５８】
なお、留め金具４に使用される板材は０、８ｍｍの鋼材が用いられる。
【００５９】
＜胴縁３と留め金具４の相対関係＞
上述(図１における)の胴縁３の主要寸法と留め金具４の相対関係において、係止突起１４を含めた留め金具４の幅寸法Ｍ５＝４８ｍｍは、胴縁３の両フランジ８ｂ間の隙間（開口３ａ）の距離Ｒ２より大きく、且つ胴縁３の２側面６間の内距離Ｒ１より小さく形成される。そして、不撓側面部１６の先端部１９から係止突起１４の係止面１３までの長さ（Ｈ３−Ｑ４）は胴縁３のフランジ８ｂと底面５間の開口距離Ｈ２と略同じ長さに形成される。また、不撓側面部１６の高さH３は胴縁３の側面６の外形高さＨ１と同じか少し高く形成される。
【００６０】
それぞれの関係を式で表すと、
Ｒ１＞Ｍ５＞Ｒ２  （Ｈ３−Ｑ４）≒Ｈ２  Ｈ３≧Ｈ１である。
【００６１】
＜外装パネル用の胴縁と留め金具の作用＞
図６に示すように、建築物の外壁本体１に設けられる外装パネル２は胴縁３に取付けられた留め金具４を介して、外壁本体１の下から上に向かって順番に横張りで組付けられる。
【００６２】
より詳しくは、上述のように、留め金具４を任意の位置で胴縁３に嵌着して、その留め金具４をスライド下降させて留め金具４の取付片２１を外装パネル２の被取付片２７に被せる。そして、ビス等の固着具３１によって被取付片２７と取付片２１を固着するが、このとき取付片２１の下穴３７にはネジ溝が形成されていないので、ビス等の固着具３１は外装パネル２に螺合して固着される。
【００６３】
さらに、次の外装パネル２を上から重ねる際に、下段の外装パネル２の上端部２５の凸状の雄実２６に、上段の下端部２８の凹状の雌実２９を被せて位置決めし、固着具３１によって被取付片２７と取付片２１は固着される。
【００６４】
このとき、取付片２１には座繰部２２が設けられるので固着具３１の頭は座繰部２２から突出しないとともに、次の外装パネル２の下端部２８の裏面側には留め金具４の取付片２１を収容するための切欠き３０が形成されるので、上下の外装パネル２を容易に重ねることができる。
【００６５】
なお、これ以外の座繰部２２の役割として、ビス等の固着具３１を外装パネル２に螺合して固着するときに、締め付け面圧を高めて固着効果を高めるという所謂座金効果もある。さらに、外装パネル２（金属サイディング）の被取付片２７の先端部が、金属サイディングの薄肉の被覆金属板層で折り込まれて保護されているので、被取付片２７の先端部は被取付片２７の他の部分よりも折り込まれている分だけ厚肉部になるが、座繰部２２はこの厚肉部から逃げて被取付片２７（の他の部分）に当接することができるので、座繰部２２によって確実に固着できるという効果も得ることができる。
【００６６】
ここで、図７に示すように、留め金具４を胴縁３に取付けるには、留め金具４を胴縁３にワンタッチで直接押し込むだけで完了する。このとき、押し込まれた留め金具４の側面１１に形成された係止突起１４が胴縁３のストッパー８に当接するが、係止突起１４に形成されたガイド面１２が曲面なので、係止突起１４は無理なくストッパー８を押し広げるので、連動して胴縁３の側面６も徐々に弾性的に撓みながら押し広げられる。
【００６７】
さらに、留め金具４を胴縁３に押し込む動作をつづけると、最終的に、係止突起１４がストッパー８を乗り越え、係止突起１４がストッパー８から離反するとともに、胴縁３の側面６が弾性的に元の位置まで復元する。
【００６８】
この動作中において、上述のように、可撓側面部１７の側面１１は高さＨ５＝２０ｍｍで、不撓側面部１６に比べて長さＹ１＝１ｍｍ（Ｈ５ーＨ３）だけ長いので、胴縁３の底面５には可撓側面部１７の先端部１８が当接する。
【００６９】
そして、可撓側面部１７は２段階に内側に折れ曲がっているので、容易に弾性的に撓むことができるので、その反力により留め金具４を係止突起１４（係止面１３）を介して胴縁３のストッパー８に常に安定して押し付けて係止させることができる。このように、可撓側面部１７のスプリング効果により可撓側面部１７の先端部１８と胴縁３の底面５との間に常時隙間が発生しないのでガタツキが生じない。
【００７０】
さらに、可撓側面部１７の先端部１８には底面５に略平行な接触片５３（接触面）が長さＨ９=略５ｍｍで形成されるので、線接触ではなく面接触なので安定して留め金具４を胴縁３に嵌着できるので、胴縁の寸法精度が悪い場合でもガタツキが生じない。
【００７１】
なお、不撓側面部１６の先端部１９は、留め金具４の取付け挿入時や取付け後の屋外側からの外力が掛かっても、それに対抗して留め金具４の形状を保持する役目をもっている。
【００７２】
また、留め金具４の２側面１１には係止突起１４がそれぞれ３個合計６個突設され、その取付け位置は、留め金具４の長手方向の中心位置と、一端部３５と他端部４０からそれぞれ長さＬ３の位置に設けられ、各係止突起１４間の長手方向の距離をＬ２とすると、Ｌ２＞＞Ｌ３の関係に配置される。
【００７３】
そのため、係止突起１４間の長手方向の距離が長く設定されているので、留め金具４が安定してスライドできるとともに安定して係止できる。
【００７４】
可撓側面部１７が、両側面１１に２箇所毎設けられているので、安定してスライドできる。可撓側面部１７により、留め金具４が任意の位置に保持できるので、仮止め時に留め金具４が胴縁３に沿って落下しないので、作業効率が向上する。
【００７５】
外装パネル２の凸状の雄実２６と凹状の雌実２９を合わせて外装パネル２を固定するときに、一旦留め金具４の取付片２１で外装パネル２の被取付片２７を押付けて位置調整すると、留め金具４が可撓側面部１７のスプリング効果により位置変動しないので、外装パネル２が浮き上がることもないので、外装パネル２間のつなぎ目の隙間が発生せず見栄えのよい施工ができる。
【００７６】
不撓側面部１６の先端部１９は、先端部１９から高さＨ４＝５ｍｍの位置５０から内側に長さＨ５＝１ｍｍだけ折れ曲がって（角度θ=略１０度）形成される。このため、留め金具４を胴縁３に容易に挿入誘導できるので作業性が向上する。
【００７７】
さらに、留め金具４がスライド可能なので、外装パネル２の熱伸縮によって生じる内部応力を逐次逃がすことができるので、外装パネル２の変形や取付部の破損が生じることがない。
【００７８】
＜本発明の第２の実施形態＞
図８、図９を用いて本発明の第２の実施形態を説明するが、図３、図４における内容と同じ構成に関しては符号のみ記してその説明を省略する。
【００７９】
図８、図９に示すように、留め金具４の底面１０が略平板形状であり、底面１０の中央部に、留め金具４自身の固定或いは外装パネルの取付け用の下穴３８が凹状円形の座繰部４１によって囲まれて形成される。
【００８０】
このとき、底面１０に刻印５５が下穴３８の中心を狙って幅方向に両側端５６から設けられるので、取付け作業時に刻印５５を用いて容易に取付け位置（下穴３８の位置）を確認することができる。
【００８１】
以上、本発明の実施形態を図面に基づいて説明したが、上記の実施例はいずれも本発明の一例を示したものであり、本発明はこれらに限定されるべきでないということはいうまでもない。
【００８２】
留め金具４の２側面１１は、４条のスリット１５によって、５分割され、一端部３５から順に、不撓側面部１６と可撓側面部１７が交互に配列されているが、３分割でも構わない。この場合、可撓側面部１７を２組形成し、その中間に不撓側面部１６１組を設けるのが好ましい。
【００８３】
留め金具４の２側面１１には係止突起１４がそれぞれ３個合計６個突設されるが、それぞれ２個合計４個でも構わない。係止突起１４は「半お椀形状」のかわりに、半円錐形でも構わない。
【００８４】
ストッパー８は、フランジ８ｂを省略して両開口端部７に直角に取付けられるリップ８ａだけでもよい。
【００８５】
胴縁３を建築物の外壁本体１に上下に取付けるかわりに、水平方向に取付けても良く、その場合には外装パネル２も水平（左右）方向に順次取付けることになる。
【図面の簡単な説明】
【００８６】
【図１】本発明の第１の実施形態における、建築物の外壁本体に設けられる外装パネル用の胴縁と留め金具の構造を示す断面透視図である。
【図２】本発明の第１の実施形態における、図１のＡ−Ａ矢視図である。
【図３】本発明の第１の実施形態における、留め金具の平面図である。
【図４】本発明の第１の実施形態における、図３のＢ−Ｂ矢視図である。
【図５】本発明の第１の実施形態における、図４のＣ−Ｃ矢視図である。
【図６】本発明の実施形態における、建築物の外壁本体に設けられる外装パネル用の胴縁と留め金具の配置を示す斜視図である。
【図７】本発明の第１の実施形態における、胴縁に留め金具を挿入している状態を示す断面図である。
【図８】本発明の第２の実施形態における、留め金具の平面図である。
【図９】本発明の第２の実施形態における、図８のＤ−Ｄ矢視図である。
【図１０】従来の、建築物の外壁本体に設けられる外装パネル用の胴縁と留め金具の構造を示す断面図である。
【図１１】従来の、留め金具の構造を示す斜視図である。
【符号の説明】
【００８７】
１  外壁本体
２  外装パネル
３  胴縁
３ａ  開口
４  留め金具
５  底面
６  側面
７  開口端部
８  ストッパー
８ａ  リップ
８ｂ  フランジ
１０  底面
１１  側面
１２  ガイド面
１３  係止面
１４  係止突起
１５  スリット
１６  不撓側面部
１７  可撓側面部
１８  先端部
１９  先端部
Ｒ１  距離
Ｒ２  距離
Ｈ１  外形高さ
Ｈ２  開口距離
【図１】
2006152576.tif 000003
【図２】
2006152576.tif 000004
【図３】
2006152576.tif 000005
【図４】
2006152576.tif 000006
【図５】
2006152576.tif 000007
【図６】
2006152576.tif 000008
【図７】
2006152576.tif 000009
【図８】
2006152576.tif 000010
【図９】
2006152576.tif 000011
【図１０】
2006152576.tif 000012
【図１１】
2006152576.tif 000013